(57)【要約】【課題】  各種家庭内外の害虫を駆除する器具において、ゴキブリなどの害虫を見ることも憚られるという需要者や、乳幼児がいる需要者にも安心して使用してもらうことができ、均一分散性に優れるため一定の効果を発現し殺虫用物質を含む材料を効率的に製造できる害虫駆除器を提供することを目的とする。【解決手段】  本発明に係る害虫駆除器は、水に殺虫用物質を含有させた薬液を収容し、上部に開口部を有し、上面に傾斜を有する容器本体と、前記薬液に一端側が接触する細長い形状の芯材と、前記芯材の他端側を挿通させる切欠部を有し、前記容器本体の開口部との嵌合による密着手段を有する蓋体と、前記蓋体より突出した前記芯材の他端側の上方を覆い、前記容器本体との間に隙間を形成し、前記容器本体と係止するカバー係止部を有するカバーとを具備することにより解決した。【選択図】図１
2012157322.tif 000002
【特許請求の範囲】
【請求項１】
水に殺虫用物質を含有させた薬液を収容し、上部に開口部を有し、上面に傾斜を有する容器本体と、
前記薬液に一端側が接触する細長い形状の芯材と、
前記芯材の他端側を挿通させる切欠部を有し、前記容器本体の開口部との嵌合による密着手段を有する蓋体と、
前記蓋体より突出した前記芯材の他端側の上方を覆い、前記容器本体との間に隙間を形成し、前記容器本体と係止するカバー係止部を有するカバーと
を具備することを特徴する害虫駆除器。
【請求項２】
前記容器本体は略半円柱状又は略半球状であり、その底面部が略逆円錐形状であることを特徴とする請求項１に記載の害虫駆除器。
【請求項３】
前記蓋体の密着手段が、前記容器本体の開口部の内側に嵌合する蓋体嵌合部を蓋体に有することを特徴とする請求項１又は請求項２に記載の害虫駆除器。
【請求項４】
前記薬剤が、油溶性の殺虫用物質を０．０００１〜０．０１重量％、界面活性剤を０．００１〜５重量％含有することを特徴とする請求項１乃至３のいずれかに記載の害虫駆除器。
【請求項５】
前記蓋体の上面がすり鉢状となっていることを特徴とする請求項１乃至４のいずれかに記載の害虫駆除器。
【発明の詳細な説明】
【技術分野】
【０００１】
本発明は、家庭内又は家庭外の害虫、例えばゴキブリ、シロアリ、ムカデ、クモなどに殺虫成分を体内に取り込ませ死滅させるための害虫駆除器に関する。
【背景技術】
【０００２】
家庭の内外で繁殖する害虫、特にゴキブリなどの繁殖力の強い衛生害虫を駆除するために、種々の器具や薬品が提案、市販されている。例えば、殺虫剤を噴霧する器具、箱内に設置された接着剤で捕獲する器具、餌を食べたゴキブリが他の場所で死ぬようにした殺虫剤入り餌、殺虫成分の蒸気を拡散する器具などが良く知られている。
【０００３】
特許文献１では、餌を食べたゴキブリが器具内で死ぬようにした殺虫剤入り餌として、摂餌物質と殺虫用物質とを含む摂餌殺虫剤を取り付けて、ゴキブリを呼び込んで駆除するゴキブリ用疑似巣容器が公開されている。
【０００４】
また、特許文献２では、加熱により蒸散した害虫防除剤を、加温状態のまま害虫防除の必要な気中に向けて強制的に拡散して害虫を防除する方法及びそのために害虫防除器が公開されている。
【先行技術文献】
【特許文献】
【０００５】
【特許文献１】特開２００３−２７４８３４号公報
【特許文献２】特開平１１−２２０９９３号公報
【発明の概要】
【発明が解決しようとする課題】
【０００６】
上述した殺虫剤を噴霧する器具では、害虫のみに噴霧することが困難で床、畳、壁など家庭内の設備や家具等にも付着し、それらが変色する恐れがあり、また乳幼児のいる家庭では直接又は間接的に経口摂取する恐れがあるため、その使用がためらわれる可能性があり害虫を発見しても十分に駆除効果を発揮できていないという問題があった。
【０００７】
また、箱内に設置された接着剤で捕獲する器具では、十分な数の害虫を捕獲した器具に触れることを嫌う需要者が多いため、その収容能力を越えてもなおも放置され、新たな害虫を駆除できていないという問題があった。
【０００８】
また、餌を食べたゴキブリが他の場所で死ぬようにした殺虫剤入り餌では、乳幼児が誤って経口摂取する危険性があり、またその危険性を排除するため容器の中に設置したとしてもゴキブリが致死量の餌を食するか、そして餌の腐敗による効果の低下などという問題があり、そもそも餌の中に殺虫成分を均一に分散させるために餌の製造に時間を要した。
【０００９】
上述の特許文献１に記載の発明では、ゴキブリが殺虫剤入りの餌を致死量食するかという課題により、その装置内に疑似巣エリアを設けてはいるが、装置内で死滅しているか否か結局は容器の取付部を持ち上げて確認しなければならずゴキブリに嫌悪感を抱く需要者には受け入れられにくいという課題が残っている。
【００１０】
また、上述の特許文献２に記載の発明では、害虫防除の必要な気中に向けてとはいえ、広い範囲に亘って殺虫剤を蒸散させるため、上述した噴霧式殺虫剤と同じく乳幼児のいる家庭では玩具等に付着し間接的に経口摂取する恐れがある。殺虫成分が実質的に人体に影響がない濃度であっても、殺虫成分は有毒であるというイメージが需要者にはあるため、需要者に積極的に使用されにくいという課題が残っている。
【００１１】
そこで、本発明では、前述した課題に対し、ゴキブリなどの害虫を見ることも憚られるという需要者や、乳幼児がいる需要者にも安心して使用してもらうことができ、均一分散性に優れるため一定の効果を発現し殺虫成分を含む材料を効率的に製造できる害虫駆除器を提供することを目的とする。
【課題を解決するための手段】
【００１２】
すなわち本発明に係る害虫駆除器は、水に殺虫用物質を含有させた薬液を収容し、上部に開口部を有し、上面に傾斜を有する容器本体と、前記薬液に一端側が接触する細長い形状の芯材と、前記芯材の他端側を挿通させる切欠部を有し、前記容器本体の開口部との嵌合による密着手段を有する蓋体と、前記蓋体より突出した前記芯材の他端側の上方を覆い、前記容器本体との間に隙間を形成し、容器本体と係止するカバー係止部を有するカバーとを具備することを特徴する害虫駆除器である。
【００１３】
このようなものであれば、以下の作用効果を奏する。
【００１４】
すわなち、水に殺虫用物質を含有させた薬液を用いるため、水分補給をしようとする害虫を誘引することができ、その場で死滅させないので、死骸が需要者の目にとまりにくく、ゴキブリなどの害虫を見ることも憚られるという需要者にも使用しやすく、液状であるため殺虫用物質を均一分散させやすく製造が容易である。
【００１５】
そして、水に殺虫用物質を含有させた薬液を収容し、上部に開口部を有し、上面に傾斜を有する容器本体を具備しているため、害虫が上面の傾斜を登り薬液を経口摂取しやすい。
【００１６】
そして、前記薬液に一端側が接触する細長い形状の芯材を具備しているため、害虫が経口摂取しやすい。
【００１７】
そして、前記芯材の他端側を挿通させる切欠部を有し、前記容器本体の開口部との嵌合による密着手段を有する蓋体を具備しているため、本発明の害虫駆除器を誤って転倒させたとしても容器本体内の薬液が漏洩しないため、床や壁などに付着することはなく、乳幼児が直接又は間接的に経口摂取することはない。
【００１８】
そして、前記蓋体より突出した前記芯材の他端側の上方を覆い、前記容器本体との間に隙間を形成し、容器本体と係止するカバー係止部を有するカバーを具備しているため、乳幼児が直接的に経口摂取することはなく、長期間設置しても芯材にほこりが堆積しにくい。
【００１９】
なお、害虫が薬剤を経口摂取しやすくするため、そして薬剤を最後まで利用するために、前記容器本体は略半円柱状又は略半球状であり、その底面部が略逆円錐形状であることが望ましい。
【００２０】
容器本体内の薬液の漏洩を防ぐため、前記蓋体の密着手段が、前記容器本体の開口部の内側に嵌合する蓋体嵌合部を蓋体に有することが望ましい。
【００２１】
殺虫用物質を水に均一分散し一定の効果を発現させるために、前記薬剤が、油溶性の殺虫用物質を０．０００１〜０．０１重量％、界面活性剤を０．００１〜５重量％含有することが望ましい。
【００２２】
薬液が染み出したときの液溜まりとし、又は前記カバーと前記蓋体との隙間を害虫がスムーズに移動することができるよう芯材が蓋体の上面より突出することを防ぐために、蓋体の中心部分に向かうに従い蓋体の上面の厚みが減少するすり鉢状となっていることが望ましい。
【発明の効果】
【００２３】
以上説明したように本発明に係る害虫駆除器によれば、ゴキブリなどの害虫を見ることも憚られるという需要者や、乳幼児がいる需要者にも安心して使用してもらうことができ、均一分散性に優れるため一定の効果を発現し殺虫用物質を含む材料を効率的に製造できる害虫駆除器を提供することができる。
【００２４】
そして、水に殺虫用物質を含有させた薬液を用いており、その場で死滅させるのではないため、死骸が需要者の目にとまりにくく、ゴキブリなどの害虫を見ることも憚られるという需要者にも使用しやすく、液状であるため殺虫用物質を均一分散させやすく製造が容易である。
【００２５】
そして、水に殺虫用物質を含有させた薬液を収容し、上部に開口部を有し、上面に傾斜を有する容器本体を具備しているため、害虫が上面の傾斜を登り薬液を経口摂取しやすい。
【００２６】
そして、前記薬液に一端側が接触する細長い形状の芯材を具備しているため、害虫が経口摂取しやすい。
【００２７】
そして、前記芯材の他端側を挿通させる切欠部を有し、前記容器本体の開口部との嵌合による密着手段を有する蓋体を具備しているため、本発明の害虫駆除器を誤って転倒させたとしても容器本体内の薬液が漏洩しないため、床や壁などに付着することはなく、乳幼児が直接又は間接的に経口摂取することはない。
【００２８】
そして、前記蓋体より突出した前記芯材の他端側の上方を覆い、前記容器本体との間に隙間を形成し、容器本体と係止するカバー係止部を有するカバーを具備しているため、乳幼児が直接的に経口摂取することはなく、長期間設置しても芯材にほこりが堆積しにくい。
【００２９】
そして、薬剤を最後まで利用するために、前記容器本体は略半円柱状又は略半球状であり、その底面部が略逆円錐形状であるため、害虫が薬剤を経口摂取しやすくすることができる。
【００３０】
そして、前記蓋体の密着手段が、前記容器本体の開口部の内側に嵌合する蓋体嵌合部を蓋体に有するため、容器本体内の薬液の漏洩を防ぐことができる。
【００３１】
そして、前記薬剤が、油溶性の殺虫用物質を０．０００１〜０．０１重量％、界面活性剤を０．００１〜５重量％含有するため、殺虫用物質を水に均一分散し一定の効果を発現させることができる。
【００３２】
そして、前記蓋体の上面が蓋体の中心部分に向かうに従い蓋体の上面の厚みが減少するすり鉢状となっているため、薬液が染み出したときの液溜まりとし、又は前記カバーと前記蓋体との隙間を害虫がスムーズに移動することができるよう芯材が蓋体の上面より突出することを防ぐことができる。
【図面の簡単な説明】
【００３３】
【図１】本発明の実施形態１の正面図。
【図２】本発明の実施形態１の右側面図。
【図３】本発明の実施形態１の平面図。
【図４】本発明の実施形態１の底面図。
【図５】本発明の実施形態１のＡ−Ａ断面図。
【図６】本発明の実施形態１のＢ−Ｂ断面図。
【図７】本発明の実施形態１の未使用時の分解斜視図。
【図８】本発明の実施形態２の正面図。
【図９】本発明の実施形態２の平面図。
【図１０】本発明の実施形態２の底面図。
【図１１】本発明の実施形態２のＣ−Ｃ断面図。
【図１２】本発明の芯材の一端側と容器本体の底面部の他の形態の部分拡大断面図。
【発明を実施するための形態】
【００３４】
以下、本発明に係る害虫駆除器に関する実施形態について詳しく説明する。
【００３５】
本発明で使用する水は、精製水、水道用水、工業用水など任意の水を使用することが好ましい。また、水に含有される不純物も殺虫効果に影響を及ぼさない範囲で含有されていてもよい。
【００３６】
また、殺虫用物質として、ピラゾール系化合物、ピレスロイド系化合物、ネオニコチノイド系化合物、有機リン系化合物、ホウ酸などを使用することが好ましい。
【００３７】
ピラゾール系化合物としては、フィプロニル＜(±)−５−アミノ−１−［２，６−ジクロロ−４−（トリフルオロメチル）フェニル］−４−（トリフルオロメチルスルホニル)−１Ｈ−ピラゾール−３−カルボニトリル＞、デブフェンピラド＜Ｎ−（４−ｔｅｒｔ−ブチルベンジル）−４−クロロ−３−エチル−１−メチルピラゾール−５−カルボキサミド＞などが好ましい。ピレスロイド系化合物としては、天然ピレスロイドとして、ピレトリンＩ＜（１Ｒ，３Ｒ）−２，２−ジメチル−３−（２−メチル−１−プロペニル）シクロプロパンカルボン酸（１Ｓ）−２−メチル−４−オキソ−３−（２Ｚ）−２，４−ペンタジエニル−２−シクロペンテン−１−イルエステル＞、ピレトリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−２−メチル−４−オキソ−３−（２Ｚ）−２，４−ペンタジエニル−２−シクロペンテン−１−イルエステル＞、シネリンＩ＜（１Ｒ，３Ｒ）−２，２−ジメチル−３−（２−メチル−１−プロペニル）シクロプロパンカルボン酸（１Ｓ）−３−（２Ｚ）−（２−ブテニル）−２−メチル−４−オキソ−２−シクロペンテン−１−イルエステル＞、シネリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−３−（２Ｚ）−（２−ブテニル）−２−メチル−４−オキソ−２−シクロペンテン−１−イルエステル＞、ジャスモリンＩ＜（１Ｒ，３Ｒ）−２，２−ジメチル−３−（２−メチル−１−プロペニル）シクロプロパンカルボン酸 （１Ｓ）−２−メチル−４−オキソ−３−（２Ｚ）−２−ペンテニル−２−シクロペンテン−１−イルエステル＞、ジャスモリンＩＩ＜（１Ｒ，３Ｒ）−３−［（１Ｅ）−３−メトキシ−２−メチル−３−オキソ−１−プロペニル］−２，２−ジメチルシクロプロパンカルボン酸 （１Ｓ）−２−メチル−４−オキソ−３−（２Ｚ）−２−ペンテニル−２−シクロペンテン−１−イルエステル＞、合成ピレスロイドとして、アレスリンＩ＜２，２−ジメチル−３−（２−メチル−１−プロペニル）シクロプロパンカルボン酸２−メチル−４−オキソ−３−（２−プロペニル）−２−シクロペンテン−１−イルエステル＞、アレスリンＩＩ＜３−（３−メトキシ−２−メチル−３−オキソ−１−プロペニル）−２，２−ジメチルシクロプロパンカルボン酸２−メチル−４−オキソ−３−（２−プロペニル）−２−シクロペンテン−１−イルエステル＞、Ｄ−テトラメトリン＜（１，３−ジオキソ−４，５，６，７−テトラヒドロイソインドリン−２−イル）メチル＝２，２−ジメチル−３−（２−メチルプロパ−１−エン−１−イル）シクロプロパン−１−カルボキシラート＞、レスメトリン＜（５−ベンジル−３−フリル）メチル＝２，２−ジメチル−３−（２−メチルプロパ−１−エン−１−イル）シクロプロパンカルボキシラート＞、フェノトリン＜３−フェノキシベンジル＝２−ジメチル−３−（メチルプロペニル）シクロプロパンカルボキシラート＞、ペルメトリン＜３−フェノキシベンジル＝３−（２，２−ジクロロビニル）−２，２��ジメチルシクロプロパンカルボキシラート＞、シフェノトリン＜シアノ（３−フェノキシフェニル）メチル＝２，２−ジメチル−３−（２−メチルプロパ−１−エン−１−イル）シクロプロパンカルボキシラート＞、エトフェンプロックス＜４−（４−エトキシフェニル）−４−メチル−１−（３−フェノキシフェニル）−２−オキサペンタン＞、シフルトリン＜シアノ（４−フルオロ−３−フェノキシフェニル）メチル＝３−（２，２−ジクロロビニル）−２，２−ジメチルシクロプロパン−１−カルボキシラート＞などが好ましい。ネオニコチノイド系化合物として、アセタミプリド＜（Ｅ）−Ｎ−（１−｛Ｎ−［（６−クロロ−３−ピリジル）メチル］−Ｎ−メチルアミノ｝エチリデン）カルバモニトリル＞、イミダクロプリド＜１−［（６’−クロロ−３’−ピリジル）メチル］イミダゾリジン−２−（Ｎ−ニトロ）イミン＞、チアクロプリド＜Ｎ−｛３−［（６−クロロ−３−ピリジル）メチル］−１，３−チアゾリジン−２−イリデン｝カルバモニトリル＞、クロチアニジン＜（Ｅ）−１−（２−クロロ−１，３−チアゾール−５−イルメチル）−３−メチル−２−ニトログアニジン＞、ジノテフラン＜１−メチル−２−ニトロ−３−［（３−テトラヒドロフリル）メチル］グアニジン＞、チアメトキサム＜３−［（２−クロロ−１，３−チアゾール−５−イル）メチル］−５−メチル−Ｎ−ニトロ−１，３，５−オキサジアジナン−４−イミン＞が好ましい。有機リン系化合物としては、ジクロルボス＜リン酸ジメチル＝２，２−ジクロロビニル＞、トリクロルホン＜ジメチル＝２，２，２−トリクロロ−１−ヒドロキシエチルホスホナート＞、シアノホス＜チオリン酸Ｏ−４−シアノフェニル−Ｏ，Ｏ−ジメチル＞、フェニトロチオン＜Ｏ，Ｏ−ジメチル＝Ｏ−（３−メチル−４−ニトロフェニル）＝ホスホロチオアート＞、クロルピリホス＜チオリン酸Ｏ，Ｏ−ジエチル−Ｏ−（３，５，６−トリクロロ−２−ピリジル）＞、フェンチオン＜チオリン酸Ｏ，Ｏ−ジメチル−Ｏ−［３−メチル−４−（メチルチオ）フェニル］＞、マラチオン＜ジエチル＝２−［（ジメトキシホスホロチオイル）スルファニル］スクシナート＞、アセフェート＜Ｏ，Ｓ−ジメチル＝アセチルホスホルアミドチオアート＞、イソキサチオン＜チオリン酸Ｏ，Ｏ−ジエチル−Ｏ−（５−フェニル−３−イソオキサゾリル）＞などが好ましい。さらに好ましくは、微量でも効果を発現するピラゾール系化合物が使用される。
【００３８】
また、殺虫用物質の使用するピラゾール系化合物の量は、費用対効果を考慮すると０．０００１〜０．１重量％が好ましく、さらに好ましくは０．０００５〜０．０５重量％である。前記殺虫用物質は１種類のみ、又は２種類以上組み合わせて用いることができる。
【００３９】
殺虫用物質が油溶性物質の場合、界面活性剤を用いて、水中に殺虫用物質を分散、乳化することができる。界面活性剤としては、カチオン系界面活性剤、アニオン系界面活性剤、両性界面活性剤、非イオン系界面活性剤などが好ましい。
【００４０】
上記の種類の界面活性剤のうち、さらに好ましくはアルキルメチルアンモニウム塩、ジアルキルジメチルアンモニウム塩、アルキルベンジルジメチルアンモニウム塩などのカチオン系界面活性剤、ポリオキシエチレンアルキルエーテル、脂肪酸ソルビタンエステル、脂肪酸グリセリンエステル、脂肪酸ポリグリセリンエステル、アルキルグリセリルエーテルなどの非イオン系界面活性剤が用いられる。
【００４１】
また、前記界面活性剤の使用する量は、０．００１〜５重量％が好ましく、さらに好ましくは０．０１〜３重量％である。前記界面活性剤は１種類のみ、又は２種類以上組み合わせて用いることができる。
【００４２】
また、殺虫用物質の分散状態を安定にするため、又は分解等の変質を防止するために、薬液の液性すなわちｐＨを調整する物質を薬液に添加することが好ましい。例えば、クエン酸、グルコン酸、コハク酸、炭酸カリウム、炭酸水素ナトリウム、乳酸などのｐＨ調整材を添加することがさらに好ましい。
【００４３】
また、ゴキブリ等の害虫を誘引するために、香料を薬液に添加することが好ましい。例えば、玉ねぎエキス、鰹節エキス、黒糖エキスなどを添加することがさらに好ましい。
【００４４】
また、ゴキブリ等の害虫を誘引するために、誘引剤を薬液に添加することが好ましい。例えば、グルコース、マルトース、フルクトース、果糖などの糖類がさらに好ましい。
【００４５】
また、殺虫用物質の光・熱・酸化による分解を防ぐため、紫外線吸収剤、酸化防止剤を添加することができる。紫外線吸収剤としては、フェノール系化合物、ベンゾトリアゾール系化合物、ベンゾフェノン系化合物、サリシレート系化合物、トリアジン系化合物などが好ましい。酸化防止剤としては、ＢＨＴ（ジブチルヒドロキシトルエン）、ＢＨＡ（ジブチルヒドロキシアニソール）などが好ましい。
【００４６】
なお、残存液量を外部から視認し易くするために、殺虫効果に影響を与えない範囲で赤、青など任意の色の着色剤、例えば染料、顔料を添加することができる。
【００４７】
容器本体は、薬液を漏れなく収容でき、上部に開口部を有し、上面に傾斜を有する容器である。害虫が芯材の他端部まで到達できる限りにおいて、容器本体の形状は特に限定されるものではないが、容器本体に収容する薬液の量をできるだけ多くするため、意匠性を向上させるためなど必要に応じて略半円柱状又は略半球状の形状とすることができる。開口部は、容器本体の上面の一部を穿孔又は上面の一部を略円柱状等の形状で突出させその突出させた面を穿孔して設けられる。後述するように開口部は蓋体と嵌合するための溝又は突起を有していても良い。
【００４８】
容器本体は、収容する薬液が少なくなっても芯材の一端部が吸液できるようにするため、容器本体の底面部は水平な面か略逆円錐形状で外側に突出していることができる。なお、容器本体の底面部が外側に突出している場合には、設置安定性の観点から、カバーを装着したときにカバーの接地部より突出しないように設定する、又はあらかじめ容器本体の底部の周囲などに接地できる容器本体の接地部を設けることが好ましい。
【００４９】
容器本体は、その内部に収容する薬液の安定性に影響を及ぼさない限り、素材が限定されるものではないが、例えば、ポリエチレンテレフタレート（ＰＥＴ）などのポリエステル樹脂、ポリプロピレン（ＰＰ）、ポリエチレン（ＰＥ）などのオレフィン樹脂、ガラス、陶器などのセラミックスなどを材料として使用される。また、樹脂やガラスの素材について、薬液を視認することができるように透明とすることができ、また逆に不透明とすることもできる。
【００５０】
水、殺虫用物質等を含有する薬剤に一端側が接触する芯材は、紐状、円柱状又は角柱状などの細長い形状を有しており、蓋体に挿通され蓋体の切欠部に保持されている。薬剤と接触している一端側で薬剤を吸液し、毛細管現象により他端側まで薬液が吸い上げられる。また、芯材の一端側、他端側の形状は、薬液を最後まで吸液させるために、害虫に飲水しやすくさせるために又は蓋体から抜け落ちることを防止するために、ラッパ状に広げたり、円錐状に尖らせたり、径より大きい円柱又は角注などへ変更することができる。
【００５１】
芯材は、ポリエステル、ナイロン、ポリプロピレン、ポリエチレン又はこれらの複合材などの合成繊維、不織布、ガラス繊維、天然繊維、木材などの吸液性のある素材が用いられる。芯材の長さは、容器本体の内部の深さ及び蓋体から突出させる高さを考慮して設定することが好ましい。
【００５２】
蓋体は、芯材を挿通させるための切欠部と、容器本体の開口部との嵌合による密着手段を有している。密着手段として、例えば、蓋体は、ブタジエンゴム、シリコンゴム、アクリルゴム、ウレタンゴムなど弾性を有する材料が、容器本体の開口部と嵌合する手段が用いられる。さらに詳しくは、容器本体の開口部の内側に嵌合させるために、垂直方向での断面がコの字状の蓋体嵌合部を蓋体の下部や縁などに有することによる密着手段や、容器本体の開口部の外側に溝又は突起を設け、蓋体がその溝に嵌合する形状を縁などに有することによる密着手段を採ることができる。また、蓋体がプラスチック、ガラス、陶器など弾性がない材料であっても蓋体と容器本体との間に弾性素材で製造されたパッキンなどを挟持する密着手段を採用しても良い。なお、容器本体を蓋体で密閉すると内圧が下がり薬液が芯材で吸液されにくくなるため、薬液が常に安定して芯材で吸液されるように、蓋体には、薬液を通さないが空気を通す微小な孔を１つ又は複数有していることが好ましい。蓋体の大きさは、容器本体の開口部の径を考慮して設定することが好ましい。さらに、蓋体は、容器本体の側に落ち込んでいるすり鉢状の形状を有していてもよい。
【００５３】
本件発明の製造時に蓋体の上部をキャップにより密閉し、在庫として保存しているときや店頭に陳列するときなど、製造後であって需要者による使用前に薬液を蒸発飛散することを防ぐことができる。
【００５４】
カバーは、蓋体より突出した芯材の他端側の上方を覆い、容器本体との間に隙間を形成し、容器本体と係止するカバー係止部を有している。カバーは、地面、床など本発明の容器本体と係止するカバー係止部を有しているため、カバーの一部に突起又は溝を設け、容器本体にその突起又は溝に嵌合する溝又は突起部を設けてカバーと容器本体を固定することができる。カバーの形状は、容器本体の略半円柱状又は略半球状という形状に対応するように、アーチ状又はドーム状とすることができる。カバーと容器本体との間の隙間は、害虫が出入りできるように設定することが好ましい。
【００５５】
以下、本発明の実施形態について具体的に説明する。なお、本発明は以下の実施形態に限定されるものではない。
【００５６】
＜実施形態１＞
図１〜６は、本発明の第１の実施形態の害虫駆除器の使用時を示す図である。また、図７は、在庫として保管しているとき又は店頭に陳列しているときの状態などを示す分解斜視図である。実施形態１の害虫駆除器は、薬液１と、上部に突出した開口部２１と上面になだらかな傾斜部２２を有する容器本体２と、薬液１に一端側が接触する細長い円柱状の芯材３と、芯材３の他端側を挿通させる切欠部４１を有し、容器本体２との密着手段を有する蓋体４と、蓋体４より突出した芯材３の他端側の上方を覆い、容器本体２との間に隙間を形成し、容器本体２と係止するカバー係止部５１を有するカバー５と、を具備する害虫駆除器である。
【００５７】
薬液１は、殺虫用物質としてフィプロニル（商品名「デラウスプリンス粒剤０６」、住友化学社製）０．００２重量％、界面活性剤としてポリオキシシエチレン（エチレンオキサイド５０モル付加物）水添ひまし油エステル（商品名「ＨＣＯ−５０」、日光ケミカルズ社製、ＨＬＢ＝１３．５）１重量％、香料として黒糖エキス（商品名「コクトウＭ１２２４８」、小川香料社製）１重量％、ｐＨ調整剤として、クエン酸（和光純薬社製試薬）０．１重量％及びクエン酸ナトリウム（和光純薬社製試薬）０．０１重量％、誘引剤としてマルトース（和光純薬社製試薬）１５重量％の組成で、防腐剤として１，２−ベンゾイソチアゾール−３（２Ｈ）−オン（商品名「プロキセル」、アーチケミカルズジャパン社製）０．２５重量％、保存剤としてソルビン酸カリウム（和光純薬社製試薬）０．５重量％、工業用水を残余とし全量２５０ｇを容器本体２に収容している。
【００５８】
また、薬液１は、前述した割合で配合したとき、水中におけるフィプロニルの分散状態が安定している。その分散状態の安定性は、４０℃のインキュベータで薬液を一ヶ月静置した後に、少量抜取り有機溶剤でフィプロニルが抽出され、ゲルパーミエーションクロマトグラフィー（ＧＰＣ）にてＯＤＳカラム（商品名「ＳＴＲ  ＯＤＳ−ＩＩ」、信和化工社製）を固定相、２５℃アセトニトリル、メタノール、水の混合溶液（アセトニトリル：メタノール：水＝４５：１５：４０）を移動相にして内部標準法により算出された薬液中のフィプロニルの濃度をもって判断した。すなわち、すでに同様な方法により分析された分散直後のフィプロニルの濃度の９５〜１００％を含有している場合を安定性良好と判断したところ、９９．８％であり、エマルジョンが破壊されずに均一に分散されていた。
【００５９】
容器本体２は、略半円柱状であり、底面部２３が外側に突出している略円錐状である。底面部２３が３度の傾斜角度をもって外側に突出しているため、薬液を無駄なく使いきることができる。開口部２１は、容器本体２の上面より略円柱状の形状で８ｍｍ突出しており、容器本体２の幅は、７０ｍｍであり、奥行きが４２ｍｍで、開口部２１を含めた高さが２７ｍｍである。また、薬液を少なくとも２５ｍｌ収容できる内容積を有する。
【００６０】
蓋体４は、中央に芯材３を挿通させる切欠部４１を有し、容器本体２の開口部２１の内側に嵌合する蓋体嵌合部４２を有するため容器本体２と密着し、本件発明が横転しても薬液は漏洩しない。また、蓋体４は、弾性を有するブタジエンゴムを主原料としており、蓋体４を容器本体２の開口部２１に嵌合させることがより容易となっている。さらに、容器本体２の開口部２１に当接する蓋体４の一部の外径は２０ｍｍであり、容器本体２の開口部２１の開口径とほぼ同一である。また、切欠部４１の周囲に薬液１は通さないが、空気は通す微小な孔（図示しない）が４箇所設けられており、薬液１が減少しても滞りなく芯材３は薬液１を吸液することができる。
【００６１】
なお、図７に示すように、未使用時には蓋体４の上面をキャップ６が密栓し、薬液１の蒸発を防止している。キャップ６の下面には、蓋体４の上面に合うように隆起した部分の先端に芯材３の他端側を覆う筒状の保護部が設けられている。
【００６２】
芯材３は、薬液１に一端側が接触し、長さが２６ｍｍで直径が４ｍｍの細長い略円柱状の形状である。また、芯材３は、ポリプロピレンを主原料とする繊維を複数束ね熱により一体成型されている。
【００６３】
カバー５は、蓋体４より突出した芯材３の他端側の上方を覆うアーチ状の形状であり、容器本体２との間に隙間を形成し、容器本体２と係止するカバー係止部５１を有している。カバー５と容器本体２の上面との隙間は少なくとも１３８ｍｍであり、カバー５と蓋体４の上面との隙間は少なくとも８５ｍｍである。これらの隙間は害虫、特にゴキブリを対象として設定されている。また、カバー５の接地する部分は、容器本体２との係止により一体とすると、容器本体２の底面部２３より出っ張ることとなる。このため、本件発明を床などに設置すると、カバー５の接地する部分が常に接地することとなり容器本体２が傾くことなく、カバー５が安定的に容器本体２を支持している。なお、カバー５と容器本体２とが嵌合する方法として、図１，３，４，５，７に示すように、カバー５の一部にカバー係止部５１があり、容器本体２と係止する。
【００６４】
なお、図１，３，４，６に示す矢印はゴキブリの侵入口又は退出口である。
【００６５】
このようして得られた害虫駆除器を、２５℃の条件で、１ｍ×１ｍの広さの空間に設置し、チャバネゴキブリ１０匹を投入したところ、投入した匹数に対する動かなくなった状態の匹数の割合である駆除率は１００％であり殺虫効果を確認した。
【００６６】
＜実施形態２＞
図８〜１１は、本発明の第２の実施形態の害虫駆除器を示す図である。実施形態２の害虫駆除器は、薬液１と、上部に突出した開口部２１と上面になだらかな傾斜部２２を有する容器本体２と、薬液１に一端側が接触する細長い円柱状の芯材３と、芯材３の他端側を挿通させる切欠部４１を有し、容器本体２との密着手段を有する蓋体４と、蓋体４より突出した芯材３の他端側の上方を覆い、容器本体２との間に隙間を形成し、容器本体２と係止するカバー係止部５１を有するカバー５と、を具備する害虫駆除器である。
【００６７】
容器本体２は、略半球状であり、底面部２３が外側に突出している略円錐状である。底面部２３が３度の傾斜角度をもって外側に突出しているため、薬液を無駄なく使いきることができる。開口部２１は、容器本体２の上面より略円柱状の形状で８ｍｍ突出しており、その外周には蓋体嵌合部４２と嵌合する溝が設けられている。また、容器本体２の最大径は、７０ｍｍであり、開口部２１を含めた高さが２７ｍｍである。さらに、容器本体２の設置安定性を向上するため、底部の外周に突起を設け接地する構成を有する。なお、薬液を少なくとも４０ｍｌ収容できる内容積を有する。
【００６８】
蓋体４は、中央に芯材３を挿通させる切欠部４１を有し、容器本体２の開口部２１の外側に嵌合する蓋体嵌合部４２を有するため容器本体２と密着し、本件発明が横転しても薬液は漏洩しない。また、蓋体４は、弾性を有するブタジエンゴムを主原料としており、蓋体４を容器本体２の開口部２１の外側に嵌合させることがより容易となっている。さらに、容器本体２の開口部２１に当接する蓋体４の一部の外径は２０ｍｍであり、容器本体２の開口部２１の開口径とほぼ同一である。また、切欠部４１の周囲に薬液１は通さないが、空気は通す微小な孔（図示しない）が４箇所設けられており、薬液１が減少しても滞りなく芯材３は薬液１を吸液することができる。
【００６９】
カバー５は、蓋体４より突出した芯材３の他端側の上方を覆うドーム状の形状であり、容器本体２との間に隙間を形成し、容器本体２と係止するカバー係止部５１を有している。カバー５と容器本体２の上面との隙間は少なくとも１３８ｍｍであり、カバー５と蓋体４の上面との隙間は少なくとも８５ｍｍである。これらの隙間は害虫、特にゴキブリを対象として設定されている。
なお、カバー５と容器本体２とが嵌合する方法として、図９〜１１に示すように、カバー５の一部にカバー係止部５１があり、容器本体２と係止する。
【００７０】
そして、薬液１、芯材３は、実施形態１と同じ物を用いた。
【００７１】
なお、図８に示す矢印はゴキブリの侵入口又は退出口である。
【００７２】
このようして得られた害虫駆除器を、２５℃の条件で、１ｍ×１ｍの広さの空間に設置し、チャバネゴキブリ１０匹を投入したところ、投入した匹数に対する動かなくなった状態の匹数の割合である駆除率は１００％であり殺虫効果を確認した。
【００７３】
図１２には、容器本体２内の薬液１を残らず使用するために、さらなる改良を加えた本発明における芯材３の一端側と容器本体２の底面部２３の他の形態の部分拡大断面図である。図１２（ａ）では、芯材３の一端側の先端が容器本体２の底面部２３の傾斜角度に合うように切断されており、（ｂ）では、芯材３の一端側の先端が平面であり、それに合うように容器本体２の底面部２３が一部平面となっている。
【符号の説明】
【００７４】
１・・・薬液
２・・・容器本体
２１・・開口部
２２・・傾斜部
２３・・底面部
３・・・芯材
４・・・蓋体
４１・・切欠部
４２・・蓋体嵌合部
５・・・カバー
５１・・カバー係止部
６・・・キャップ
【図１】
2012157322.tif 000003
【図２】
2012157322.tif 000004
【図３】
2012157322.tif 000005
【図４】
2012157322.tif 000006
【図５】
2012157322.tif 000007
【図６】
2012157322.tif 000008
【図７】
2012157322.tif 000009
【図８】
2012157322.tif 000010
【図９】
2012157322.tif 000011
【図１０】
2012157322.tif 000012
【図１１】
2012157322.tif 000013
【図１２】
2012157322.tif 000014